(57)【要約】      （修正有）【課題】テラス天井や軒天等から垂直に懸架される高さ調整用伸縮パイプを備えた物干し具において、該伸縮パイプの高さ調整用機構は、利用者が楽に手の届く竿掛けアーム付近に位置して、容易で確実に高さ調整の操作できる物干し具を具現化する。【解決手段】外部側パイプ３の中に内部側パイプ４が摺動可能に挿入された伸縮自在パイプであり、内部側パイプ４内には外部側パイプ３に向かって突出し外部側パイプ３に設けられた係合孔１８に係合して内部側パイプ４の摺動を停止させるための係止片１５からなるストッパー機構１３が内蔵され、該ストッパー機構１３の嵌脱を動作する可動軸１２は内部側パイプ３内に内蔵され、該可動軸１２を前記物干し竿を装架する竿掛けアームの部位まで下げ降ろした形状となし、該可動軸１２下端部に可動軸１２の上下動或いは回動機能を連結せしめる。【選択図】図５
2005279161.tif 000002
【特許請求の範囲】
【請求項１】
物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの外部側パイプ並びに内部側パイプには係合孔が穿たれており、該内部側パイプには内部側パイプの係合孔を介して外部側パイプの係合孔に向かって突出し前記外部側パイプに設けられた係合孔に係合する係止片からなるストッパー機構が内蔵されており、該ストッパー機構の嵌脱を動作する可動軸は内部側パイプ内に内蔵され、該可動軸の下端部は前記物干し竿を装架する竿掛けアーム付近まで下げ降ろした形状となし、該可動軸の下端部にて該可動軸の上下動或いは回動機構に連結せしめることにより前記外部側パイプと内部側パイプ間のストッパー機構の嵌脱を利用者が容易に手の届く位置にて任意に行えるように構成したことを特徴とする高さ調整用伸縮パイプを備えた物干し具。
【請求項２】
物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの内部側パイプ内には該内部側パイプ内を摺動可能に挿着された可動軸が内蔵されており、該可動軸上端部には外部側パイプに向かって突出し外部側パイプに設けられた係合孔に係合して内部側パイプの摺動を停止させる係止片、並びに係止片の弾性復帰作用を行うキックバネからなるストッパー機構が内蔵されており、該ストッパー機構の係止片は可動軸に対して回動可能に装着されていて、該係止片の嵌脱を操作する前記可動軸の下端部を物干し竿を装架する竿掛けアーム付近まで下げ降ろし、該可動軸の下端部に可動軸の上下動機構を連結せしめることにより前記外部側パイプと内部側パイプ間のストッパー機構の係止片の嵌脱を利用者が容易に手の届く位置にて任意に行えるように構成したことを特徴とする高さ調整用伸縮パイプを備えた物干し具。
【請求項３】
前記可動軸の下端部に連結し可動軸の上下動を惹起せしめる機構は、前記内部側パイプの下端部に装着された竿掛けアームの片側を分割し、該竿掛けアームを兼用した形状で片側中央部より回転軸を介して回転可能に構成した回転アームからなり、該回転アームの他端がピン軸を介して前記可動軸に連繋しており、該可動軸は竿掛けアームの形状を兼用した回転アームの回動により上下動し外部側パイプと内部側パイプ間のストッパー機構の嵌脱操作を行うことを特徴とする請求項１または請求項２記載の高さ調整用伸縮パイプを備えた物干し具。
【請求項４】
物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの内部側パイプ内には該内部側パイプ内を摺動可能に挿着された可動軸が内蔵されており、該可動軸上端部には外部側パイプに向かって突出し外部側パイプに設けられた係合孔に係合して内部側パイプの摺動を停止させる係止片、並びに係止片の弾性復帰作用を行うキックバネからなるストッパー機構が内蔵されており、該ストッパー機構の係止片は可動軸に対して回動可能に装着されていて、該係止片の嵌脱を操作する前記可動軸を物干し竿を装架する竿掛けアーム付近まで下げ降ろし、該可動軸の下端部に設けられたネジケース連結し、該ネジケースによる可動軸の上下動動作により前記可動軸が上下動して前記外部側パイプと内部側パイプ間のストッパー機構の係止片の嵌脱を利用者が容易に手の届く位置にて任意に行えるように構成したことを特徴とする高さ調整用伸縮パイプを備えた物干し具。
【請求項５】
前記可動軸の下端部に連結し可動軸の上下動動作を惹起せしめる機構は、該可動軸のネジケースに連結するネジ羽根に接続されており、該ネジ羽根の回転により前記外部側パイプと内部側パイプ間のストッパー機構の係止片の嵌脱を行うことを特徴とする請求項１並びに請求項４記載の高さ調整用伸縮パイプを備えた物干し具。
【請求項６】
前記可動軸の下端部に連結し可動軸の上下動動作を惹起せしめるためのネジ羽根は前記竿掛けアームを懸架固着した内部側パイプの下端部が竿掛けアームを貫通した構成となし、該竿掛けアームの下方に設けられたことを特徴とする請求項５記載の高さ調整用伸縮パイプを備えた物干し具。
【請求項７】
前記外部側パイプに穿たれる係止片の係合孔にはカバーキャップが挿着され、該係合孔が外観上見えないよう構成したことを特徴とする請求項１乃至請求項６記載の高さ調整用伸縮パイプを備えた物干し具。
【発明の詳細な説明】
【技術分野】
【０００１】
本発明は、物干し竿を装架する一対の竿掛けアームをテラス天井や軒天等から垂直に懸架するタイプの物干し具に関するものであり、特に本発明は、前記物干し具において竿掛けアームの高さを容易に調整することのできる伸縮パイプを備えた物干し具に関するものである。
【背景技術】
【０００２】
テラス天井や軒天等から垂直に懸架された状態で取付される物干し具の高さ調整用伸縮パイプは、外部側パイプの中に内部側パイプが摺動可能に挿入された伸縮自在パイプであり、該伸縮自在パイプの伸縮調整方法は、外部側、内部側のパイプを任意の位置で、ダボ孔にダボを挿入し伸縮を固定し、該ダボ孔に挿入されたダボを指などで押し込むことにより、前記固定状態を解除する方法が採られていた。
【０００３】
また、蝶ネジや剣先ネジを用いて伸縮される内部側パイプの動きを規制して固定したりする方法等もあり、その従来例として、登録意匠第８９４４０４号意匠公報には、天井等に固着するブラケットを有した外部側パイプに、竿掛けアームを有した内部側パイプを高さ調整可能に挿入し、該内部側パイプを任意位置にて蝶ネジにて固定する物干し竿支持具が、提示されている。
【０００４】
然しながら、前記ネジ止めによる固定方法は、物干し具における竿掛けアームの高さを取付施工時に完全に固定化してしまうことが多い。
即ち、物干し具における高さ固定ネジ部は、下端に位置する竿掛けアームより、上方にあり、通常は踏み台等を利用しなければ、ネジ固定部に利用者の背が届かず、ネジ固定された伸縮自在パイプは、利用者が利用時に任意に高さ調整できるものではなく、上部より懸架され固定された物干し具、並びに物干し竿は、テラスを物干し以外で利用する際に頭上に注意を払わなくてはならない邪魔な物であった。
【特許文献１】登録意匠第８９４４０４号意匠公報
【発明の開示】
【発明が解決しようとする課題】
【０００５】
本発明が解決しようとする課題は、テラス天井や軒天等から垂直に懸架された状態で取付される高さ調整用伸縮パイプを備えた物干し具において、該伸縮パイプの高さ調整用機構は、利用者が楽に手の届く位置、例えば、物干し竿掛けアーム付近に位置して、確実で、容易に高さ調整の操作できる物干し具を具現化するものである。
【０００６】
また、本発明の物干し具を利用者が利用する際には、竿掛けアームを少し動かしたり、回動することにより、高さ調整用伸縮パイプが伸長して、該高さ調整用伸縮パイプ下部に設けられた竿掛けアームが下がり、楽に干し物を干すことができ、干し終わった後や、未使用時には、該竿掛けアームや物干し竿を上方に押し上げることができるので、テラスや軒下を物干し具の高さを気にせずに有効利用できる物干し具を提供する。
【課題を解決するための手段】
【０００７】
本発明は、物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの外部側パイプ並びに内部側パイプには係合孔が穿たれており、該内部側パイプには内部側パイプの係合孔を介して外部側パイプの係合孔に向かって突出し前記外部側パイプに設けられた係合孔に係合する係止片からなるストッパー機構が内蔵されている。
【０００８】
そして、前記ストッパー機構の係止片の嵌脱を動作する可動軸は内部側パイプ内に内蔵され、該可動軸の下端部を前記物干し竿を装架する竿掛けアーム付近の位置まで下げ降ろした形状となし、該可動軸下端部に可動軸の上下動或いは回動機構に連結せしめることにより前記外部側パイプと内部側パイプ間のストッパー機構の嵌脱を利用者が容易に手の届く位置にて任意に操作できるように構成したことを主な特徴とする高さ調整用伸縮パイプを備えた物干し具である。
【０００９】
本発明は、好ましくは、物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの内部側パイプ内には該内部側パイプ内を摺動可能に挿着された可動軸が内蔵されており、該可動軸の上端部には外部側パイプに向かって突出し外部側パイプに設けられた係合孔に係合して内部側パイプの摺動を停止させる係止片、並びに係止片の弾性復帰作用を行うキックバネからなるストッパー機構が内蔵されており、該ストッパー機構の係止片は可動軸に対して回動可能に装着されていて、該係止片の嵌脱を操作する前記可動軸を物干し竿を装架する竿掛けアーム付近まで下げ降ろし、該可動軸の下端部に可動軸の上下動機能を連結せしめることにより前記外部側パイプと内部側パイプ間のストッパー機構の係止片の嵌脱を利用者が容易に手の届く位置にて任意に行えるように構成する。
【００１０】
また、本発明において、前記軸体の下端部に連結し可動軸の上下動を惹起せしめる機構は、前記内部側パイプの下端部に装着された竿掛けアームの片側を分割し、該竿掛けアームを兼用した形状で片側中央部より回転軸を介して回転可能に構成した回転アームからなり、該回転アーム他端がピン軸を介して連繋した前記可動軸は竿掛けアームの形状を兼用した回転アームの回動により上下動し、前記外部側パイプと内部側パイプ間のストッパー機構の係止片の嵌脱を行うよう構成することが好ましい。
【００１１】
そして本発明は、好ましくは、物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの内部側パイプ内には該内部側パイプ内を摺動可能に挿着された可動軸が内蔵されており、該可動軸の上端部には外部側パイプに向かって突出し外部側パイプに設けられた係合孔に係合して内部側パイプの摺動を停止させる係止片、並びに係止片の弾性復帰作用を行うキックバネからなるストッパー機構が内蔵されており、該ストッパー機構の係止片は可動軸に対して回動可能に装着されていて、該係止片の嵌脱を操作する前記可動軸を物干し竿を装架する竿掛けアーム付近まで下げ降ろし、該可動軸の下端部に設けられたネジケース連結し、該ネジケースによる可動軸の回転動作により前記可動軸が上下動して前記外部側パイプと内部側パイプ間のストッパー機構の係止片の嵌脱を利用者が容易に手の届く位置にて任意に行えるように構成する。
【００１２】
また、本発明において、前記軸体の下端部に連結し可動軸の回転動作を惹起せしめる機構は、該可動軸のネジケースに連結するネジ羽根に接続されており、該ネジ羽根の回転により前記外部側パイプと内部側パイプ間のストッパー機構の係止片の嵌脱を行うことが好ましい。
【００１３】
更にまた、本発明において、好ましくは、前記可動軸の下端部に連結し可動軸の回転動作を惹起せしめるためのネジ羽根は前記竿掛けアームを懸架固着した内部側パイプの下端部が竿掛けアームを貫通して竿掛けアーム下部に位置する構成とした。
【００１４】
また、本発明は、前記外部側パイプに穿たれるストッパー機構の係止片係合孔にはカバーキャップが挿着され、該係合孔が外観上見えないよう構成することが好ましい。
【発明の効果】
【００１５】
斯くして、本発明は、テラス天井や軒天等から垂直に懸架された状態で取付される高さ調整用伸縮パイプを備えた物干し具において、該伸縮パイプの高さ調整用機構は、利用者が楽に手の届く物干し竿掛けアーム付近に位置しており、容易にに確実な高さ調整機構を操作できる物干し具を提供することができた。
【００１６】
また、本発明の物干し具を利用者が利用する際には、竿掛けアームと兼用する回転アームを少し回動したり、ネジ羽根を回動することにより、高さ調整用伸縮パイプが伸長して、該高さ調整用伸縮パイプ下部に設けられた竿掛けアームが下がり、楽に干し物を干すことができ、干し終わった後や、未使用時には、該竿掛けアームや物干し竿を上方に押し上げることができるので、テラスや軒下を物干し具の高さを気にせずに有効利用できる。
【００１７】
そして、本発明は、従来例の如く、固定用のネジ等が外部側パイプ外観に飛び出すことがないので、洗濯物を引っ掛けたりすることがなく、外部側パイプに穿たれるストッパー機構の係止孔は前記外部側パイプの両端部にあるので、樹脂等のキャップにて係止孔をカバーして隠してしまうことが容易で、意匠上、美観の優れたものになる。
【発明を実施するための最良の形態】
【００１８】
本発明に係る高さ調整用伸縮パイプを備えた物干し具において、物干し竿を装架する竿掛けアームをテラス天井や軒天等から垂直に懸架する竿掛けアームの支持パイプは、外部側パイプの中に内部側パイプが摺動可能に挿入された伸縮自在パイプであり、該伸縮自在パイプの外部側パイプ並びに内部側パイプには係合孔が穿たれており、該内部側パイプには内部側パイプの係合孔を介して外部側パイプの係合孔に向かって突出し前記外部側パイプに設けられた係合孔に係合する係止片からなるストッパー機構が内蔵されている。
【００１９】
そして、該ストッパー機構の嵌脱を制御する可動軸は内部側パイプ内に内蔵され、該可動軸下端部を前記物干し竿を装架する竿掛けアーム付近で利用者が容易に手が届く位置まで下げ降ろした形状となし、該可動軸下端部に可動軸の上下動或いは回動機能を連結せしめることにより前記外部側パイプと内部側パイプ間のストッパー機構の嵌脱を利用者が容易に手の届く位置にて高さ調整操作を任意に行えるように構成したことを要旨とする。
【００２０】
そして、本発明のより具体的な形態を示すと、物干し竿を装架する竿掛けアームをテラス天井や軒天等から垂直に懸架する竿掛けアームの支持パイプは、外部側パイプの中に内部側パイプが摺動可能に挿入された伸縮自在パイプであり、該伸縮自在パイプの内部側パイプ内には該内部側パイプ内を摺動可能に挿着された可動軸が内蔵されており、該可動軸の上端部には外部側パイプに向かって突出し外部側パイプに設けられた係合孔に係合して内部側パイプの摺動を停止させる係止片、並びに係止片の弾性復帰作用を行うキックバネからなるストッパー機構が内蔵されている。
【００２１】
上記ストッパー機構の係止片は、可動軸に対して回動可能に装着されていて、該係止片の嵌脱を操作する前記可動軸を物干し竿を装架する竿掛けアーム付近まで下げ降ろし、該可動軸の下端部に軸体の上下動機能を連結せしめることにより前記外部側パイプと内部側パイプ間のストッパー機構の係止片の嵌脱を利用者が容易に手の届く位置にて任意に行えるように構成したことである。
【００２２】
而して、前記可動軸の下端部に連結し可動軸の上下動を惹起せしめる機構は、前記内部側パイプの下端部に装着された竿掛けアームの片側を分割し、該竿掛けアームを兼用した形状で片側中央部より回転軸を介して回転可能に構成した回転アームからなり、該回転アーム他端がピン軸を介して連繋した前記可動軸は竿掛けアームの形状を兼用した回転アームの回動により上下動し、前記外部側パイプと内部側パイプ間のストッパー機構の係止片の嵌脱を行うことを要旨としている。
【００２３】
また、本発明に係る他の実例を示すと、物干し竿を装架する竿掛けアームをテラス天井や軒天等から垂直に懸架する竿掛けアームの支持パイプは、外部側パイプの中に内部側パイプが摺動可能に挿入された伸縮自在パイプであり、該伸縮自在パイプの内部側パイプ内には該内部側パイプ内を摺動可能に挿着された可動軸が内蔵されており、該可動軸の上端部には外部側パイプに向かって突出し外部側パイプに設けられた係合孔に係合して内部側パイプの摺動を停止させる係止片、並びに係止片の弾性復帰作用を行うキックバネからなるストッパー機構が内蔵されている。
【００２４】
前記ストッパー機構の係止片は可動軸に対して回動可能に装着されていて、該係止片の嵌脱を操作する前記可動軸を物干し竿を装架する竿掛けアーム付近まで下げ降ろし、該可動軸の下端部に設けられたネジケースに連結し、該ネジケースによる可動軸の回転動作により前記可動軸が内部側パイプ内で上下動して、前記外部側パイプと内部側パイプ間のストッパー機構における係止片の嵌脱操作を利用者が容易に手の届く位置にて任意に行えるように構成している。
【００２５】
斯くして、前記可動軸の下端部に連結し可動軸の回転動作を惹起せしめる機構は、該可動軸のネジケースに連結するネジ羽根に接続されており、該ネジ羽根の回転により前記外部側パイプと内部側パイプ間のストッパー機構の係止片の嵌脱を行うこと、並びに、前記可動軸の下端部に連結し可動軸の回転動作を惹起せしめるためのネジ羽根は、前記竿掛けアームを懸架固着した内部側パイプの下端部が竿掛けアームを貫通した構成となし、該竿掛けアームの下方に設けられていることを要旨としている。
【００２６】
また、本発明においては、外部側パイプに穿たれるストッパー機構の係止片係合孔には、カバーキャップが挿着され、該係合孔が外観上見えないよう構成することもまたその要旨としている。
【実施例１】
【００２７】
図１乃至図３は実施例１の外観並びに動作説明図であり、図４は実施例１のストッパー機構を示す部品分解図、図５並びに図６はストッパー機構の動作を説明する要部断面図、図７は実施例１の物干し具を説明する側面図である。
【００２８】
図１乃至図７において、１は高さ調整用伸長パイプを備えた物干し具、２はテラス天井や軒天に取付るためのブラケット、３は外部側パイプ、４は内部側パイプ、５は竿掛けアーム、６a、６ｂ、６ｃ、６ｄは竿掛けアーム５に設けられた竿受け孔、７は竿掛けアーム５の一部形状を兼用して設けられた回転アーム、８は該回転アームのピン軸、９は前記回転アーム７のロック摘子をそれぞれ示している。  
【００２９】
而して、図１は、外部側パイプ３内に挿入されている内部側パイプ４を一杯に伸長した状態を示し、図２は回転アーム７のロック摘子９を解除して、該回転アーム７をＲ°回動させ外部側パイプ３内に内蔵された伸縮ストッパー機構を解除した状態を示している。
【００３０】
また図３は内部側パイプ４を外部側パイプ３内に挿入して収縮が完了した状態を示しており、実用化された実施例１においては、天井から図１の状態で９００ｍｍ、収縮した図３の状態で６００ｍｍとなり、３００ｍｍの高さ調整のできる伸縮パイプを備えた物干し具１となっている。
【００３１】
斯くして、図４は前記回転アーム７が竿掛けアーム５内にどの様に組込まれ、ストッパー機構に連繋しているかを説明する部品分解図である。
【００３２】
図４において、５は竿掛けアームであり、該竿掛けアーム５にはピン軸８を介して回転アーム７が回動可能に組こまれている。回転アーム７の先端下部１０には前記ロック摘子９が直接当たってロック機能を果たしている。
【００３３】
また、回転アーム７の先端部はピン１１により可動軸１２と連繋されており、該可動軸１２は、前記内部側パイプ４内に摺動可能に内蔵されており、該可動軸１２の上下摺動は可動軸１２の上端部で内部側パイプ４内に内蔵されたストッパー機構１３に伝達される。ストッパー機構１３は、可動軸１２にピン１４にて装着される係止片１５をキックバネ１６を介して取付ている。
【００３４】
図５並びに図６は前記ストッパー機構１３の要部拡大断面図で、図５はストッパー機構１３が働いてロックされた状態を示し、図６はストッパー機構が解除された状態を示している。図５並びに図６において、３は外部側パイプ、４は内部側パイプ、１２は可動軸、１５は係止片、１６はキックバネを示し、該係止片１５とキックバネ１６がピン１４にて可動軸１２に装着されて成るストッパー機構１３は前記回転アーム７の動作で作動する。而して前記係止片１５の先端部は内部側パイプ４に穿たれた係止孔１７を貫通して、外部側パイプ３に穿たれた係止孔１８に係合しており、図５の状態でストッパー機構１３が働き物干し具１の伸縮装置はロックされた状態にある。
【００３５】
そして、図６は、前記回転アーム７を操作してストッパー機構１３を解除するものであるが、その操作は、物干し具の利用者が容易に手の届く高さまで回動軸１２にて下げ降ろした回動アーム７の位置にて行われる。即ち、物干し具の利用者は、竿掛けアーム５に組み込まれた回動アーム７をＲ°程回動せしめると、該動作は回動軸１２を下方向に摺動し、図６の如く係止片１５を回転させ、外部側パイプ３に穿たれた係止孔１８から係止片１５を抜脱する。従って、内部側パイプ４は次の係止位置まで外部側パイプ３内を摺動し、竿掛けアーム５の高さを調整できる。
【００３６】
尚、図５並びに図６の１９は外部側パイプ３に穿たれた係止孔１８のカバーキャップであり、該カバーキャップ１９は係止孔１８からの雨水の浸水を防ぎ、外観上の美観を整えている。また、内部側パイプ４の上端部に装着されたキャップ２０は、可動軸１２の摺動ガイド及び外部側パイプ３との嵌合緩衝の働きをはたしている。
【００３７】
そして、図７は実施例１におけるストッパー機構１３の係止位置を外部側パイプ３のストローク上に係止孔１８を設けることにより増やすことができることを示している。図７において、係止孔１８は例えば外部側パイプ３の中間点にも設けた例を提案している。
【００３８】
実施例１において、物干し竿を装架する竿掛けアーム５をテラス天井や軒天等から垂直に懸架する支持パイプは外部側パイプ３の中に内部側パイプ４が摺動可能に挿入された伸縮自在パイプであり、該伸縮自在パイプの外部側パイプ３並びに内部側パイプ４には係合孔１７、１８が穿たれており、該内部側パイプ４には内部側パイプ４の係合孔１７を介して外部側パイプ３の係合孔１８に向かって突出し前記外部側パイプ３に設けられた係合孔１８に係合する係止片１５からなるストッパー機構１３が内蔵されている。
【００３９】
前記ストッパー機構１３の嵌脱を動作する可動軸１２は内部側パイプ４内に内蔵され、該可動軸１２を前記物干し竿を装架する竿掛けアーム５付近で利用者が容易に手が届く位置まで下げ降ろした形状となし、該可動軸１２端部に可動軸１２の上下動或いは回動機能を連結せしめることにより前記外部側パイプ３と内部側パイプ４間のストッパー機構１３の嵌脱を利用者が容易に手の届く位置にて任意に行えるように構成した。
【００４０】
また、実施例１において詳説した具体例をまとめると、物干し竿を装架する竿掛けアーム５をテラス天井や軒天等から垂直に懸架する竿掛けアーム５の支持パイプは外部側パイプ３の中に内部側パイプ４が摺動可能に挿入された伸縮自在パイプであり、該伸縮自在パイプの内部側パイプ４内には該内部側パイプ４内を摺動可能に挿着された可動軸１２が内蔵されている。
【００４１】
前記可動軸１２上端部には外部側パイプ３に向かって突出し外部側パイプ３に設けられた係合孔１８に係合して内部側パイプ４の摺動を停止させる係止片１５、並びに係止片１５の弾性復帰作用を行うキックバネ１６からなるストッパー機構１３が内蔵されている。
【００４２】
そして、該ストッパー機構１３の係止片１５は、可動軸１２に対して回動可能に装着されていて、該係止片１５の嵌脱を操作する前記可動軸１２を物干し竿を装架する竿掛けアーム５付近まで下げ降ろし、該可動軸１２下端部に可動軸１２の上下動機能を連結せしめることにより前記外部側パイプ４と内部側パイプ３間のストッパー機構１３の係止片１５の嵌脱を利用者が容易に手の届く位置にて任意に行えるようにしている。
【００４３】
また。前記可動軸１２下端部に連結し可動軸１２の上下動を惹起せしめる機構は、前記内部側パイプ４の下端部に装着された竿掛けアーム５の片側を分割し、該竿掛けアーム５を兼用した形状で片側中央部よりピン軸８を介して回転可能に構成した回転アーム７からなり、該回転アーム７の他端がピン１１を介して連繋した前記可動軸１２は竿掛けアーム５の形状を兼用した回転アーム７の回動により上下動し、前記外部側パイプ３と内部側パイプ４間のストッパー機構１３の係止片１５の嵌脱を行う構成とした。
【実施例２】
【００４４】
図８は実施例２を説明する要部拡大断面図、図９はストッパー機構を説明する斜視図である。図８並びに図９において、３は外部側パイプ、４は内部側パイプ、５は竿掛けアーム、１２は可動軸、１３はストッパー機構を示しており、前記内部側パイプ４の下端部にはネジケース２１が装着されており、該ネジケース２１にはネジ羽根２２が螺着されていて、該ネジ羽根２２の先端は回転ピン２３を介して前記可動軸１２連繋している。
【００４５】
また、可動軸１２の上端部には２枚の係止片１５a、１５ｂとキックバネ１６、ピン１４からなるストッパー機構１３が設けられている。そして係止片１５a、１５ｂの先端は内部側パイプ４に穿たれた係合孔１７を貫通してそれぞれ外部側パイプ３に穿たれた係合孔１８に係止している。
【００４６】
従って、ネジ羽根２２を回動させることにより可動軸１２は上下動して、該可動軸１２の上部に設けられたストッパー機構１３をロック状態にしたり、開放状態にできる。
【００４７】
斯くして、実施例２においても、ストッパー機構１３の動作は竿掛けアーム５の下部等で行うことができ、利用者とっては、大変便利な物干し具１になる他、外部側パイプの係止孔１８はカバーキャップ１９にて塞ぐことにより、該部分からの雨水の浸水を防ぎ外観上の美観も得られる。
【００４８】
斯くして、実施例２においては、物干し竿を装架する竿掛けアーム５をテラス天井や軒天等から垂直に懸架する竿掛けアーム５の支持パイプは、外部側パイプ３の中に内部側パイプ４が摺動可能に挿入された伸縮自在パイプであり、該伸縮自在パイプの内部側パイプ４内には該内部側パイプ４内を摺動可能に挿着された可動軸１２が内蔵されている。
【００４９】
該可動軸１２上端部には外部側パイプ３に向かって突出し外部側パイプ３に設けられた係合孔１８に係合して内部側パイプ４の摺動を停止させる係止片１５a、１５ｂ、並びに係止片１５a、１５ｂの弾性復帰作用を行うキックバネ１６からなるストッパー機構１３が内蔵されている。
【００５０】
そして、該ストッパー機構１３の係止片１５a、１５ｂは可動軸１２に対して回動可能に装着されていて、該係止片１５a、１５bの嵌脱を操作する前記可動軸１２を物干し竿を装架する竿掛けアーム５付近まで下げ降ろし、該可動軸１２の下端部に設けられたネジケース２１連結し、該ネジケース２１による可動軸１２の回転動作により前記可動軸１２が上下動して前記外部側パイプ３と内部側パイプ４間のストッパー機構１３の係止片１５a、１５ｂの嵌脱を利用者が容易に手の届く竿掛けアーム５の下の位置にて任意に行えるように構成した。
【００５１】
また、実施例２おける前記可動軸１２の下端部に連結し可動軸１２の上下動動作を惹起せしめる機構は、該可動軸１２のネジケース２１に連結するネジ羽根２２に接続されており、該ネジ羽根２２の回転により前記外部側パイプ３と内部側パイプ４間のストッパー機構１３の係止片１５a、１５ｂの嵌脱を行う構成とした。
更に、前記可動軸１２の下端部に連結し可動軸１２の上下動作を惹起せしめるためのネジ羽根２２は前記竿掛けアーム５を懸架固着した内部側パイプ４の下端部が竿掛けアーム５を貫通した構成とした。
【産業上の利用可能性】
【００５２】
而して本発明は、テラス天井や軒天等に垂直に懸架された状態で取付される高さ調整用伸縮パイプを備えた物干し具において、該伸縮パイプの高さ調整用機構は、利用者が楽に手の届く物干し竿掛けアーム付近の部位に位置して、容易で、確実に高さ調整の操作できる物干し具を提供することができた。
【００５３】
また、本発明の物干し具を利用者が利用する際には、竿掛けアーム内に配置された回転アームを少し回動したり、竿掛けアームの下部に配置されたネジ羽根を回動することにより、高さ調整用伸縮パイプのストッパー機構が嵌脱でき伸長したり固定操作可能で、該高さ調整用伸縮パイプ下部に設けられた竿掛けアームが下がり、楽に干し物を干すことができる。そして、洗濯物を干し終わった後や、未使用時には、該竿掛けアームや物干し竿を上方に押し上げることができるので、テラス天井や軒天から懸架された物干し具の高さを気にせずにテラスや軒下を有効利用できる。
【００５４】
そして、本発明は、従来例の如く、固定用のネジ等が外部側パイプ外観に飛び出すことがないので、洗濯物を引っ掛けたりすることがなく、外部側パイプに穿たれるストッパー機構の係合孔は前記外部側パイプの両端部にあるので、樹脂等のキャップにて係止孔をカバーして隠してしまうことが容易で、意匠上、美観の優れたものになる等の多大な効果を有し、本発明は産業上の利用価値が顕著である。
【図面の簡単な説明】
【００５５】
【図１】本発明の実施例１を示す外観並びに動作説明図である。
【図２】本発明の実施例１を示す外観並びに動作説明図である。
【図３】本発明の実施例１を示す外観並びに動作説明図である。
【図４】実施例１のストッパー機構を示す部品分解図である。
【図５】実施例１のストッパー機構を示す要部拡大断面図である。
【図６】実施例１のストッパー機構を示す要部拡大断面図である。
【図７】実施例１の物干し具を説明する側面図である。
【図８】実施例２を説明する要部断面拡大図である。
【図９】実施例２のストッパー機構を説明する斜視図である。
【符号の説明】
【００５６】
１  物干し具  
２  ブラケット  
３  外部側パイプ
４  内部側パイプ
５  竿掛けアーム
６a、６ｂ、６ｃ、６ｄ  竿受け孔  
７  回転アーム
８  ピン軸
９  ロック摘子
１０  先端下部
１１  ピン
１２  可動軸
１３  ストッパー機構
１４  ピン
１５、１５a、１５b  係止片
１６  キックバネ
１７  係合孔
１８  係合孔
１９  カバーキャップ
２０  キャップ
２１  ネジケース
２２  ネジ羽根    
２３  回転ピン
【図１】
2005279161.tif 000003
【図２】
2005279161.tif 000004
【図３】
2005279161.tif 000005
【図４】
2005279161.tif 000006
【図５】
2005279161.tif 000007
【図６】
2005279161.tif 000008
【図７】
2005279161.tif 000009
【図８】
2005279161.tif 000010
【図９】
2005279161.tif 000011